(57)【特許請求の範囲】
【請求項１】
複数の印字用素子の一側方に、複数の受光素子および上記複数の印字用素子を駆動制御する複数の駆動ＩＣが配置されるように、これらを片面に搭載している基板と、
この基板上の上記複数の印字用素子を避けた位置に配され、かつ光源から発せられた光を画像読み取り対象領域に導くとともにこの画像読み取り対象領域からの反射光を上記複数の受光素子に導く光路を内部に形成しているケースと、
このケースとは別体に形成され、かつ上記複数の受光素子および上記複数の駆動ＩＣを一纏めにしてそれらの周囲を囲む内壁面を有するように設けられるとともに、上記画像読み取り対象領域からの反射光を上記複数の受光素子に導く光路を塞がないようにするためのスリットを有しており、このスリットを介して上記受光素子に向けて進入する光の上記内壁面での散乱反射を防止する光反射防止部材と、
を具備していることを特徴とする、画像読み書き一体ヘッド。
【請求項２】
上記光反射防止部材は、黒色である、請求項１に記載の画像読み書き一体ヘッド。
【請求項３】
上記ケースのうち、上記基板の上記片面に対向する部分には、凹部が形成されており、かつこの凹部に上記光反射防止部材が嵌入している、請求項１または２に記載の画像読み書き一体ヘッド。
【請求項４】
上記光反射防止部材は、この光反射防止部材を上記ケースに位置決めして取付け可能とする取付手段を有している、請求項１ないし３のいずれかに記載の画像読み書き一体ヘッド。
【請求項５】
上記光反射防止部材は、上記複数の受光素子および上記複数の駆動ＩＣに対して上記基板の厚み方向に間隔を隔てて対面する上壁部と、この上壁部から上記基板に向けて突出する弾性変形可能な複数の側壁部とを具備している、請求項１ないし４のいずれかに記載の画像読み書き一体ヘッド。
【請求項６】
上記光源は、上記基板の上記片面上に搭載されており、かつ上記光反射防止部材は、上記光源と上記複数の受光素子との間を仕切る側壁部を有している、請求項１ないし５のいずれかに記載の画像読み書き一体ヘッド。
【請求項７】
上記基板の上記片面のうち、上記光反射防止部材と接触する部分は、黒色とされている、請求項１ないし６のいずれかに記載の画像読み書き一体ヘッド。
【請求項８】
請求項１ないし７のいずれかに記載の画像読み書き一体ヘッドを具備していることを特徴とする、画像処理装置。
【発明の詳細な説明】
【０００１】
【技術分野】
本願発明は、画像の読み取り機能とプリント機能とを併せもつ画像読み書き一体ヘッド、およびこれを備えた画像処理装置に関する。
【０００２】
【従来の技術】
画像処理装置のうち、たとえばファクシミリ装置では、画像の読み取り機能とプリント機能とを併せもつ必要がある。また、画像処理装置の多くは、装置全体の小型化が要請される。そこで、従来では、図７に示すような画像読み書き一体ヘッドＨがある。この従来の画像読み書き一体ヘッドＨは、透明カバー１９ｅを上面部に装着したケース１ｅと、このケース１ｅの底部に取付けられた基板４ｅとを具備している。上記基板４ｅの表裏両面４０，４１には、複数の受光素子２ｅと印字用の複数の発熱素子８ｅとがこの基板４ｅの長手方向に延びた列状に配されて実装されている。また、上記複数の発熱素子８ｅを駆動制御する複数の駆動ＩＣ８０ｅも上記基板４ｅの裏面４１に実装されている。上記ケース１ｅの内部には、光源３ｅと結像用レンズ５ｅとが組み込まれており、上記光源３ｅから発せられた光が上記透明カバー１９ｅの表面の画像読み取り対象領域Ｓｅに照射されるとともに、その領域Ｓｅから反射してきた光は上記結像用レンズ５ｅを介して上記複数の受光素子２ｅに導かれるように構成されている。
【０００３】
上記画像読み書き一体ヘッドＨでは、画像読み取り対象領域Ｓｅに配置される原稿Ｄの画像を、上記光源３ｅや複数の受光素子２ｅなどを利用して読み取ることができる。その一方、上記複数の発熱素子８ｅを利用してたとえば感熱タイプの記録紙Ｋに所望の画像を印字出力することができる。
【０００４】
【発明が解決しようとする課題】
しかしながら、上記従来の画像読み書き一体ヘッドＨでは、次のような不具合があった。
【０００５】
すなわち、従来では、複数の受光素子２ｅが基板４ｅの表面４０に実装されているのに対し、複数の発熱素子８ｅおよび複数の駆動ＩＣ８０ｅは上記基板４ｅの裏面４１に実装されている。このため、上記基板４ｅへの部品実装作業に際して、基板４ｅの表面４０に受光素子２ｅを実装した後に発熱素子８ｅや駆動ＩＣ８０ｅの実装作業を行うには、基板４ｅの表裏を反転させる必要がある。また、上記基板４ｅには、画像の読み取り系と印字出力系の２種類の配線パターンを予め形成しておく必要があるが、これら２種類の配線パターンを基板４ｅの表裏両面にそれぞれ別個に形成する作業も煩雑となる。したがって、従来の画像読み書き一体ヘッドＨの生産性は悪いものとなっていた。
【０００６】
さらに、従来では、上記画像読み書き一体ヘッドＨを用いて画像処理装置を実際に製作する場合には、原稿Ｄを送るためのプラテンローラＰ1 については画像読み書き一体ヘッドＨの上方に配置する必要があるのに対し、記録紙Ｋを送るためのプラテンローラＰ2 については画像読み書き一体ヘッドＨの下方に配置する必要がある。このため、２つのプラテンローラＰ1 ，Ｐ2 と画像読み書き一体ヘッドＨとを組み合わせた機構全体がその高さ方向に大きく嵩張ったものとなり、その小型化の面においても改善すべき余地があった。
【０００７】
一方、画像読み書き一体ヘッドを製作する場合の留意事項としては、一般のイメージセンサの場合と同様に、複数の受光素子が原稿からの反射光以外の光を不当に受光しないように配慮しなければならない。たとえば、複数の受光素子の周囲において光が散乱反射すると、その散乱光が受光素子によって受光されてしまい、これがノイズとなって読み取り画像の質を悪化させる要因となる。また、外部の光がケース内に進入し、この光が受光素子によって受光されることも好ましいものではない。したがって、このような事態を生じないように配慮し、画像の読み取り機能を悪化させないようにする必要がある。
【０００８】
本願発明は、このような事情のもとで考え出されたものであって、画像の読み取り機能などに支障を生じさせないようにして、画像読み書き一体ヘッドの生産性を高め、しかもその画像読み書き一体ヘッドを画像処理装置に組み込んで実際に使用する場合にはその小型化をも図ることができるようにすることをその課題としている。
【０００９】
【発明の開示】
上記の課題を解決するため、本願発明では、次の技術的手段を講じている。
【００１０】
すなわち、本願発明の第１の側面によれば、画像読み書き一体ヘッドが提供さる。この画像読み書き一体ヘッドは、複数の印字用素子の一側方に、複数の受光素子および上記複数の印字用素子を駆動制御する複数の駆動ＩＣが配置されるように、これらを片面に搭載している基板と、この基板上の上記複数の印字用素子を避けた位置に配され、かつ光源から発せられた光を画像読み取り対象領域に導くとともにこの画像読み取り対象領域からの反射光を上記複数の受光素子に導く光路を内部に形成しているケースと、このケースとは別体に形成され、かつ上記複数の受光素子および上記複数の駆動ＩＣを一纏めにしてそれらの周囲を囲む内壁面を有するように設けられるとともに、上記画像読み取り対象領域からの反射光を上記複数の受光素子に導く光路を塞がないようにするためのスリットを有しており、このスリットを介して上記受光素子に向けて進入する光の上記内壁面での散乱反射を防止する光反射防止部材と、を具備していることに特徴づけられる。
【００１１】
上記光反射防止部材は、全体の色彩を黒色とし、光の反射や光の透過を生じさせないものにすることが好ましい。ただし、本願発明は、これに代えて、たとえば黒色に近い他の暗色系などの色彩にしてもかまわない。
【００１２】
本願発明によって提供される画像読み書き一体ヘッドでは、複数の印字用素子がケースや光反射防止部材によって覆われていない構造にできるため、それら複数の印字用素子に対向する箇所に記録紙を移送することによって画像の印字出力処理を適切に行うことができる。また、光源から発せられた光をケースによって形成された光路を利用して画像読み取り対象領域に導いてから、その領域からの反射光を複数の受光素子によって受光させることができるために、画像の読み取り処理も適切に行うことができる。そして、本願発明では、次のような格別な効果が得られる。
【００１３】
第１に、本願発明では、受光素子、印字用素子、および駆動ＩＣのそれぞれが基板の片面、すなわち同一面に搭載されているために、その製造に際しては、従来とは異なり、基板の表裏を反転させることなく、基板上に上記各部品を搭載することができる。また、受光素子や印字用素子に関連する配線パターンも基板の同一面に対して形成すればよいため、それらの配線パターンを同時に形成することも可能となる。したがって、本願発明では、画像読み書き一体ヘッドの生産性を従来よりも高めることができる。
【００１４】
第２に、本願発明では、基板の表裏両面のうち、印字用素子などが搭載されている片面側と同一面側に画像読み取り対象領域を設けることが簡単に行え、画像読み取り対象領域に原稿を移送するプラテンローラと印字用素子に対面する箇所に記録紙を移送するプラテンローラとを、基板の同一面側に配置することができる。このため、本願発明では、画像読み書き一体ヘッドを挟むようにしてその両側に２つのプラテンローラを配置する必要があった従来のものと比較すると、それら全体のサイズが大きく嵩張らないようにでき、小型化が図れる。
【００１５】
第３に、本願発明では、光反射防止部材によって複数の受光素子の周囲を囲んでいるために、画像読み取り対象領域からの光が複数の受光素子の周囲において散乱反射することを上記光反射防止部材によって防止することができ、受光素子が散乱光を受光しないようにできる。また、上記光反射防止部材によって外部の光を遮断し、複数の受光素子が外部の光を受光しないようにすることもできる。したがって、ノイズが少ない画質の良好な読み取り画像を得ることができる。とくに、本願発明では、光反射防止部材をケースとは別体に形成しているために、この光反射防止部材の形状、サイズ、材質、および色彩などについては、光の遮断などに最適なものとなるようにケースとは切り離して選定することができ、これにより受光素子が不当な光を受光することをより適切に防止することが可能となるのである。
【００１６】
第４に、本願発明では、複数の受光素子の周囲のみならず、これら複数の受光素子と同様に複数の印字用素子の一側方に位置する複数の駆動ＩＣの周囲についても光反射防止部材によって囲んでいるために、この光反射防止部材の組付け作業性を良好にすることができる。すなわち、本願発明とは異なり、受光素子と駆動ＩＣとを分離させるようにして受光素子のみを光反射防止部材によって囲み込もうとすれば、光反射防止部材のサイズを小さくせざるを得ず、その取扱いが難しくなり、駆動ＩＣ、受光素子、およびそれらにボンディングされたワイヤなどに光反射防止部材が接触し易くなって、これらを損傷させてしまう虞れが大きくなる。このような不具合は、画像読み書き一体ヘッドを小型化しようとして、駆動ＩＣと受光素子とを接近させている場合により顕著となる。ところが、本願発明では、複数の受光素子と複数の駆動ＩＣとを一纏めに囲むことにより、そのような虞れを少なくできるのである。
【００１７】
本願発明の好ましい実施の形態では、上記ケースのうち、上記基板の上記片面に対向する部分には、凹部が形成されており、かつこの凹部に上記光反射防止部材が嵌入している。
【００１８】
このような構成によれば、ケースと基板との間に光反射防止部材を安定させて配置させることができる。また、光反射防止部材をケースと基板との間に挟みつけることによって、光反射防止部材を基板の片面に圧接させるようなことも可能となるため、光反射防止部材と基板の片面との間に光の進入路となる隙間が生じ難くすることもできる。
【００１９】
本願発明の他の好ましい実施の形態では、上記光反射防止部材は、この光反射防止部材を上記ケースに位置決めして取付け可能とする取付手段を有している。
【００２０】
このような構成によれば、画像読み書き一体ヘッドを組み立てる場合において、基板にケースを組み付ける以前に、予め光反射防止部材をケースに位置決めして取付けておくことが可能となる。そして、このようにすると、ケースを基板に組み付けることによって、光反射防止部材についても所定の箇所に同時に組み付けることが可能となり、画像読み書き一体ヘッドの組み立て作業を簡単にすることができる。
【００２１】
本願発明の他の好ましい実施の形態では、上記光反射防止部材は、上記複数の受光素子および上記複数の駆動ＩＣに対して上記基板の厚み方向に間隔を隔てて対面する上壁部と、この上壁部から上記基板に向けて突出する弾性変形可能な複数の側壁部とを具備している。
【００２２】
このような構成によれば、光反射防止部材の上壁部や複数の側壁部によって複数の受光素子や複数の駆動ＩＣを適切に囲むことができるのに加え、上記複数の側壁部を基板に接触させて弾性変形させることにより、これら側壁部と基板との間に隙間を生じ難くすることができる。したがって、光反射防止部材によって囲まれた領域に外部から光が進入することを防止するのに好適となる。
【００２３】
本願発明の他の好ましい実施の形態では、上記光源は、上記基板の上記片面上に搭載されており、かつ上記光反射防止部材は、上記光源と上記複数の受光素子との間を仕切る側壁部を有している。
【００２４】
このような構成によれば、受光素子、印字用素子、および駆動ＩＣに加え、光源についても基板の同一面に搭載された構成となるため、画像読み書き一体ヘッドの生産性をより高めることができる。一方、上記光源と複数の受光素子との間は光反射防止部材の側壁部によって仕切られているために、上記光源から発せられた光がそのまま受光素子によって受光されることはない。
【００２５】
本願発明の他の好ましい実施の形態では、上記基板の上記片面のうち、上記光反射防止部材と接触する部分は、黒色とされている。
【００２６】
このような構成によれば、基板の片面と光反射防止部材との間に、仮に隙間が発生していたとしても、その隙間を通過しようとする光の多くは、上記基板の黒色部分によって吸収されることとなる。したがって、光反射防止部材によって囲まれた領域に外部の光が進入することをより確実に防止することができる。
【００２７】
本願発明の第２の側面によれば、画像処理装置が提供される。この画像処理装置は、本願発明の第１の側面によって提供される画像読み書き一体ヘッドを具備していることに特徴づけられる。
【００２８】
本願発明の第２の側面によれば、本願発明の第１の側面によって得られるのと同様な効果が期待できる。
【００２９】
本願発明のその他の特徴および利点は、以下の発明の実施の形態の説明からより明らかになるであろう。
【００３０】
【発明の実施の形態】
以下、本願発明の好ましい実施の形態について、図面を参照しつつ具体的に説明する。
【００３１】
図１は、本願発明に係る画像読み書き一体ヘッドの一例を示す斜視図である。図２は、図１に示す画像読み書き一体ヘッドの分解斜視図である。図３は、図１のIII −III 断面図である。図４は、図１のIV−IV断面図である。図５は、図４のＶ−Ｖ断面図である。
【００３２】
図２および図３によく表れているように、本実施形態の画像読み書き一体ヘッドＡは、ケース１、透明カバー１９、レンズアレイ５、光反射防止部材６、基板４、放熱板７、およびその他の後述する各部品類を具備して構成されている。
【００３３】
上記基板４は、たとえばセラミック製であり、平面視長矩形状のプレート状である。この基板４の表面４ａ（片面）には、複数の光源３、複数の受光素子２、複数の駆動ＩＣ８０、および複数の発熱素子８が搭載されている。
【００３４】
上記複数の光源３は、たとえばＬＥＤチップを用いて構成されており、上記基板４の長手方向に適当な間隔を隔てて列状に実装されている。上記複数の受光素子２は、光電変換機能を備えた素子であり、上記複数の光源３の列と略平行な列状に実装されている。上記複数の発熱素子８は、本願発明でいう印字用素子の一例に相当するものである。上記各発熱素子８は、たとえば酸化ルテニウムなどを導体成分とする厚膜抵抗ペーストを印刷・焼成することによって上記基板４の長手方向に一連に延びる線状の発熱抵抗体を形成するとともに、この発熱抵抗体をその長手方向に沿って一定間隔で電気的に分断する配線パターンを形成することによって構成されている。上記複数の駆動ＩＣ８０は、上記複数の発熱素子８の発熱駆動を制御するためのものであり、上記複数の光源３と同様に、上記基板４の長手方向に適当な間隔を隔てて列状に実装されている。
【００３５】
上記複数の発熱素子８の列は、上記基板４の長手方向に延びる一側縁部４ｃまたはその近傍に配置されているのに対し、駆動ＩＣ８０、受光素子２、および光源３のそれぞれの列は、上記発熱素子８の列よりも上記基板４の他側縁部４ｄ寄りの一側方に配置されている。上記基板４の表面４ａには、この表面４ａ上に搭載された上記各部品に関連する配線パターン（図示略）が形成されている。上記基板４の適所には上記配線パターンのそれぞれと導通した１または複数のコネクタ（図示略）が設けられており、このコネクタに配線接続を行うことによって外部機器から上記各部品への電力供給や各種の信号の入出力が行えるようになっている。また、上記基板４の表面４ａには、後述するように、黒色塗装が施された部分が設けられている。
【００３６】
上記放熱板７は、上記基板４と略同様な形状およびサイズのプレート状に形成されたものであり、上記基板４の裏面４ｂにたとえば両面接着テープや接着剤を介して接着されている。この放熱板７は、複数の発熱素子８から発する熱を外部に逃がすためのものであり、熱伝導率の高い金属製である。
【００３７】
上記ケース１は、たとえば白色の合成樹脂製であり、その長手方向の全長寸法は上記基板４と略同一である。このケース１は、複数の発熱素子８の搭載箇所を避けるようにして上記基板４に取付けられている。このケース１を上記基板４に取付ける手段の一例としては、図１によく表れているように、掛止部材７０，７０の上端部をこのケース１の長手方向両端部に設けられた凹部１８，１８に係入させるとともに、上記掛止部材７０，７０の下端部を放熱板７の下面部に係止させる手段が用いられている。むろん、上記掛止部材７０，７０に代えて、上記ケース１と放熱板７とをそれらの厚み方向にクランプするバネクリップを用いる手段、あるいはケース１と放熱板７とを互いに係合させる係合部をケース１や放熱板７に一体または別体に設けるといった手段を採用することができる。さらには、ケース１と基板４とを接着させてもかまわない。
【００３８】
上記透明カバー１９は、読み取り対象となる原稿Ｄをガイドするためのものであり、たとえば透明なガラス製または合成樹脂製のプレートである。この透明カバー１９は、上記ケース１の上面部に設けられている凹部１３に嵌合装着されている。ただし、上記ケース１の上面部は傾斜しており、これに伴って上記透明カバー１９も傾斜している。より具体的には、上記透明カバー１９は、基板４の他側縁部４ｄに近づくほどその高さが低くなるように傾斜している。また、上記ケース１の幅方向の両外側面１ａ，１ｂのうち、発熱素子８に近い側の外側面１ａは、このケース１の上方に進むにしたがって上記基板４の他側縁部４ｄに接近するように傾斜している。
【００３９】
上記レンズアレイ５は、主走査方向に延びるブロック状のレンズホルダ５０に、複数のロッドレンズ５１を列状に保持させたものである。結像用レンズとしてロッドレンズ５１を用いれば、原稿Ｄの画像を受光素子２上に正立等倍に結像させることが可能であるが、むろんこれ以外のレンズを用いてもかまわない。上記レンズアレイ５は、上記透明カバー１９の下方においてこの透明カバー１９に対向して設けられた凹溝１２に嵌入装着されている。上記透明カバー１９の表面のうち、上記レンズアレイ５と対向するライン状の領域が、画像読み取り対象領域Ｓである。
【００４０】
上記ケース１の内部には、上記光源３から発せられた光を導くための光路１４が設けられており、この光路１４は次の第１の光路１４ａと第２の光路１４ｂとに大別される。第１の光路１４ａは、ケース１の上下厚み方向に貫通して形成されており、複数の光源３から発せられた光を上記画像読み取り対象領域Ｓに導く光路である。これに対し、第２の光路１４ｂは、上記第１の光路１４ａを進行して上記画像読み取り対象領域Ｓに位置する原稿表面によって反射された光をレンズアレイ５を介して複数の受光素子２上に導く光路である。既述したとおり、ケース１は白色の樹脂製であるため、ケース１の各所は光の反射率が高い白色である。したがって、複数の光源３から発せられた光については、第１の光路１４ａの白色の壁面によって高い反射率で反射させながら画像読み取り対象領域Ｓに導くことができ、画像読み取り対象領域Ｓへの光の照射効率を高くすることが可能である。
【００４１】
上記光反射防止部材６は、たとえば黒色顔料やガラス粉末を含むポリカーボネートあるいはＡＢＳ樹脂などの合成樹脂製であり、各所の表面は光の吸収率が高い黒色とされている。この光反射防止部材６は、複数の受光素子２および複数の駆動ＩＣ８０の周囲を一纏めにして囲むように、ケース１の底部に設けられた凹部１１内に配されている。より具体的には、この光反射防止部材６は、複数の受光素子２および複数の駆動ＩＣ８０の上方に位置してこれらに対面するように一定方向に延びている上壁部６０、この上壁部６０の幅方向両側端縁から下方に突出して上記上壁部６０と同方向に延びた２つの側壁部６１ａ，６１ｂ、および図２によく表れているように、上記上壁部６０の長手方向両端から下向きに突出した２つの側壁部６１ｃ，６１ｄを有している。上記４つの側壁部６１ａ〜６１ｄは、複数の受光素子２および複数の駆動ＩＣ８０の四方を囲んでいる。上記光反射防止部材６は、本来的にはその全体の厚みが上記凹部１１の高さよりも僅かに大きな寸法に形成されたものであり、上記凹部１１内にはその厚み方向に圧縮された状態で嵌入している。このため、上記４つの側壁部６１ａ〜６１ｄのそれぞれは適度に弾性変形した状態でそれらの先端が基板４の表面４ａに接触している。上記上壁部６０には、第２の光路１４ｂを塞がないようにするためのスリット６３が設けられている。
【００４２】
図４によく表れているように、上記光反射防止部材６は、その上壁部６０に設けられた複数の突起部６４を上記ケース１に設けられている複数の凹部１５に嵌入させることによって上記ケース１に取付けられている。また、上記光反射防止部材６の幅方向の一側縁部には、先端に溝部６５ａを有する複数のクランプ用突起６５が突設されている。図５によく表れているように、上記各クランプ用突起６５は、第１の光路１４ａに設けられているケース１のリブ１６をその厚み方向両側から適当な弾発力をもってクランプするものである。上記光反射防止部材６は、上記複数のクランプ用突起６５によってもケース１への取付けが図られていおり、上記ケース１に相対してその長手方向や幅方向に位置ずれしないようになっている。上記リブ１６は、ケース１の剛性を確保するなどの観点から第１の光路１４ａの長手方向に適当な間隔で複数設けられたものである。
【００４３】
図３および図４において、基板４の表面４ａのうち、光反射防止部材６の４つの側壁部６１ａ〜６１ｄの先端が接触している部分（符号Ｎ１で示す部分）は、黒色塗装領域とされている。この黒色塗装領域は、たとえば黒色顔料を含むガラスペーストを塗布した後にこれを焼成することによって黒色ガラスの層を形成した領域とすることができる。また、これに代えて、たとえば遮光性の高いＦｅ−Ｃｒ−Ｃｏ系やＣｕ−Ｃｒ系の黒色顔料、あるいはそれ以外の成分の黒色顔料などを含む塗料を塗布することによって、上記黒色塗装領域を設けてもよい。本願発明では、上記した部分にのみ黒色塗装を施すのではなく、それ以外の広い領域、たとえば光反射防止部材６によって囲まれている領域の略全体や、その領域からはみ出した領域にも黒色塗装を施してもかまわない。
【００４４】
図５は、上記画像読み書き一体ヘッドＡを具備して構成された画像処理装置Ｂの概略構成の一例を示す説明図である。
【００４５】
この画像処理装置Ｂは、たとえば合成樹脂製の筐体９内に上記画像読み書き一体ヘッドＡを組み込んだものであり、上記透明カバー１９と対向する位置には、原稿Ｄを紙送りするための駆動回転自在なプラテンローラＰ1 が設けられている。また、上記複数の発熱素子８と対向する位置には、記録紙Ｋを紙送りするための駆動回転自在なプラテンローラＰ2 が設けられている。記録紙Ｋは、たとえば巻取ロールＲから繰り出される長尺状の感熱紙である。むろん、本発明はこれに限定されず、たとえば単票状の記録紙を用いることも可能である。
【００４６】
次に、上記画像読み書き一体ヘッドＡ、および上記画像処理装置Ｂの作用について説明する。
【００４７】
まず、上記画像処理装置Ｂでは、画像読み書き一体ヘッドＡが画像の読み取り機能とプリント機能とを併せもつために、原稿Ｄの画像読み取りと記録紙Ｋへの画像の印字出力とを個別に、または同時に行うことができる。上記２つのプラテンローラＰ1 ，Ｐ2 は、いずれも上記画像読み書き一体ヘッドＡの基板４よりも上方に配置すればよい。したがって、これら２つのプラテンローラＰ1 ，Ｐ2 と画像読み書き一体ヘッドＡとの三者が画像処理装置Ｂの高さ方向に大きく嵩張らないようにでき、画像処理装置Ｂの薄型化が図れる。上記画像読み書き一体ヘッドＡでは、プラテンローラＰ2 に対向するケース１の外側面１ａを傾斜させているために、上記ケース１からはみ出した基板４の一側縁部４ｃの上方にプラテンローラＰ2 を配置するための比較的大きな空間スペースを確保できる。したがって、上記ケース１から基板４の一側縁部４ｃをさほど大きくはみ出させることなく、プラテンローラＰ2 の適切な配置を行うことも可能となり、全体の小型化を図る上で、一層好ましいものとなる。さらに、上記透明カバー１９は傾斜しているために、この透明カバー１９に対向するプラテンローラＰ1 を他方のプラテンローラＰ2 から適度に離れた位置へ配置することが可能となる。したがって、２つのプラテンローラＰ1 ，Ｐ2 の径を大きくした場合に、それらが不当に干渉し合うようなことも回避できる。
【００４８】
上記プラテンローラＰ1 ，Ｐ2 は、原稿Ｄや記録紙Ｋを透明カバー１９の表面または発熱素子８の表面部分に適度な圧力で押しつけるように筐体９内に組み込む必要がある。ところが、これらのプラテンローラＰ1 ，Ｐ2 は、いずれも画像読み書き一体ヘッドＡの上方に配置させればよいために、その組み込み作業は一方向から行うことができ、その組み込み作業性も良好となる。また、上記プラテンローラＰ1 ，Ｐ2 を透明カバー１９や複数の発熱素子８に対して押しつける方向も同一となるために、そのための構造も非常に簡素なものにできる。
【００４９】
一方、上記画像読み書き一体ヘッドＡは、複数の光源３、複数の受光素子２、複数の駆動ＩＣ８０、および複数の発熱素子８のそれぞれを基板４の表面４ａに実装しており、またそれらに関連する配線パターンも上記表面４ａに形成している。したがって、上記各部品の実装作業や配線パターンの作製作業に際しては、上記基板４を表裏反転させるような必要はなく、その生産性を高めることができる。ケース１を基板４に組付ける作業は、ケース１を基板４上に載置してから、掛止部材７０，７０を用いてケース１を放熱板７に掛止させればよく、やはり簡単に行うことができる。光反射防止部材６は、複数の突起部６４と複数のクランプ用突起６５を利用してケース１に取付けてから、このケース１を基板４に組み付けることによって所定の位置に配置することができる。また、上記光反射防止部材６は、複数の受光素子２と複数の駆動ＩＣ８０とを一纏めに囲むように配置すればよく、たとえば複数の受光素子２と複数の駆動ＩＣ８０との間を仕切るように配置する必要はない。したがって、上記光反射防止部材６が上記複数の受光素子２や駆動ＩＣ８０に不当に接触する虞れも少なくできる。
【００５０】
上記画像読み書き一体ヘッドＡでは、複数の受光素子２の周囲が光の吸収率が高い黒色の光反射防止部材６によって囲まれているために、原稿Ｄからレンズアレイ５を通過して複数の受光素子２に向けて進行してきた光の一部が上記光反射防止部材６の内壁面において散乱反射しないようにできる。また、上記光反射防止部材６は、ケース１の外部の光が複数の受光素子２の搭載箇所に進入したり、あるいは光源３から発せられた光がそのまま複数の受光素子２に向けて進行することを阻止する役割も果たす。したがって、複数の受光素子２が外乱光や散乱光を受光しないようにできる。とくに、上記光反射防止部材６の複数の側壁部６１ａ〜６１ｄは適度に圧縮変形した状態で基板４の表面４ａに接触しているために、上記側壁部６１ａ〜６１ｄの各先端部を上記表面４ａに圧接させることができ、それらの間に大きな隙間を生じ難くすることができる。しかも、上記側壁部６１ａ〜６１ｄの各先端部は上記基板４のうち黒色塗装が施された部分に接触しているために、仮にそれらの接触部分に隙間が生じていたとしても、この隙間を通過しようとして上記表面４ａに入射した光の多くは上記黒色塗装領域によって吸収される。したがって、ケース１の外部の光や光源３から受光素子２に向けて進行する光が、光反射防止部材６によって囲まれた領域内に不当に進入することを一層確実に防止することができる。
【００５１】
本願発明に係る画像読み書き一体ヘッドや画像処理装置の具体的な構成は、上記実施形態に限定されず、種々に設計変更自在である。
【００５２】
たとえば、上記実施形態では、光源３を基板４の表面４ａに搭載しているが、本願発明では、これに代えて、たとえば図７で示した従来のものと同様に、光源を、受光素子などを搭載した基板に搭載させることなく、ケース内に組み込むようにしてもかまわない。また、光源としては、ＬＥＤ以外の光源を用いてもよい。光反射防止部材は、組立作業性や光の進入防止機能などの観点からすれば、単一の部材として構成されていることが好ましいが、本願発明はやはりこれに限定されず、複数の部材として構成されていてもかまわない。
【図面の簡単な説明】
【図１】本願発明に係る画像読み書き一体ヘッドの一例を示す斜視図である。
【図２】図１に示す画像読み書き一体ヘッドの分解斜視図である。
【図３】図１のIII −III 断面図である。
【図４】図１のIV−IV断面図である。
【図５】図４のＶ−Ｖ断面図である。
【図６】図１に示す画像読み書き一体ヘッドを具備して構成された画像処理装置の概略構成の一例を示す説明図である。
【図７】従来の画像読み書き一体ヘッドの一例を表す断面図である。
【符号の説明】
１  ケース
２  受光素子
３  光源
４  基板
４ａ  表面（基板の）
５  レンズアレイ
６  光反射防止部材
７  放熱板
８  発熱素子（印字用素子）
１４  光路
６０  上壁部
６１ａ〜６１ｄ  側壁部
８０  駆動ＩＣ
Ａ  画像読み書き一体ヘッド
Ｂ  画像処理装置
Ｄ  原稿
Ｋ  記録紙
Ｓ  画像読み取り対象領域
Ｐ1   原稿用プラテンローラ
Ｐ2   記録紙用プラテンローラ
【図１】
0003857441.tif 000002
【図２】
0003857441.tif 000003
【図３】
0003857441.tif 000004
【図４】
0003857441.tif 000005
【図５】
0003857441.tif 000006
【図６】
0003857441.tif 000007
【図７】
0003857441.tif 000008